【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
光学フィルタを含む接眼レンズユニットであって、前記接眼レンズユニットは、
第１の導波管層と、第２の導波管層とを含む導波管層のセットであって、
前記第１の導波管層は、第１の側方平面内に配置され、第１の側方位置に配置される第１の内部結合回折要素と、前記第１の内部結合回折要素に光学的に結合される第１の導波管と、前記第１の導波管に光学的に結合される第１の外部結合回折要素とを含み、
前記第２の導波管層は、前記第１の側方平面に隣接する第２の側方平面内に配置され、第２の側方位置に配置される第２の内部結合回折要素と、前記第２の内部結合回折要素に光学的に結合される第２の導波管と、前記第２の導波管に光学的に結合される第２の外部結合回折要素とを含む、
導波管層のセットと、
第１の光学フィルタと、第２の光学フィルタとを含む光学フィルタのセットであって、
前記第１の光学フィルタは、前記第１の側方位置に位置付けられ、第１のスペクトル帯域外の光を減衰させるように動作可能であり、
前記第２の光学フィルタは、前記第２の側方位置に位置付けられ、第２のスペクトル帯域外の光を減衰させるように動作可能である、
光学フィルタのセットと
を備える、接眼レンズユニット。
【請求項２】
前記導波管層のセットは、第３の導波管層を含み、前記光学フィルタのセットは、第３の光学フィルタを含み、
前記第３の導波管層は、第３の側方平面内に配置され、第３の側方位置に配置される第３の内部結合回折要素と、前記第３の内部結合回折要素に光学的に結合される第３の導波管と、前記第３の導波管に光学的に結合される第３の外部結合回折要素とを含み、
前記第３の光学フィルタは、前記第３の側方位置に位置付けられ、第３のスペクトル帯域外の光を減衰させるように動作可能である、
請求項１に記載の接眼レンズユニット。
【請求項３】
前記第１のスペクトル帯域は、赤色波長を含み、前記第２のスペクトル帯域は、緑色波長を含み、前記第３のスペクトル帯域は、青色波長を含む、請求項２に記載の接眼レンズユニット。
【請求項４】
前記第１の光学フィルタは、緑色波長または青色波長のうちの少なくとも１つを透過させる、請求項１に記載の接眼レンズユニット。
【請求項５】
前記第２の光学フィルタは、赤色波長または青色波長のうちの少なくとも１つを透過させる、請求項１に記載の接眼レンズユニット。
【請求項６】
前記光学フィルタのセットは、前記第１の側方平面に隣接する第３の側方平面内に配置されるカバープレートの表面に配置される。請求項１に記載の接眼レンズユニット。
【請求項７】
前記カバープレートは、低透過率媒体を前記光学フィルタのセット間に備える、請求項６に記載の接眼レンズユニット。
【請求項８】
前記第１の光学フィルタは、カバープレートと前記第１の導波管層との間に配置され、前記カバープレートは、前記第１の側方平面に隣接する第３の側方平面内に配置される、請求項１に記載の接眼レンズユニット。
【請求項９】
前記第２の光学フィルタは、前記第１の導波管層と前記第２の導波管層との間に配置される、請求項１に記載の接眼レンズユニット。
【請求項１０】
前記第１の側方位置および前記第２の側方位置は、同一側方位置である、請求項１に記載の接眼レンズユニット。
【請求項１１】
前記接眼レンズユニットは、投影レンズに隣接して配置され、前記光学フィルタのセットは、前記投影レンズと前記導波管層のセットとの間に配置される、請求項１に記載の接眼レンズユニット。
【請求項１２】
前記第１の側方位置は、前記第２の側方位置に対して側方に変位される、請求項１に記載の接眼レンズユニット。
【請求項１３】
前記第１の内部結合回折要素は、前記第１のスペクトル帯域内の光を内部結合するように構成される、請求項１に記載の接眼レンズユニット。
【請求項１４】
前記第２の内部結合回折要素は、前記第２のスペクトル帯域内の光を内部結合するように構成される、請求項１に記載の接眼レンズユニット。
【請求項１５】
アーチファクト軽減システムであって、
プロジェクタアセンブリと、
前記プロジェクタアセンブリに光学的に結合される結像光学のセットと、
前記結像光学のセットに光学的に結合される接眼レンズであって、前記接眼レンズは、内部結合界面を含む、接眼レンズと、
光学フィルタのセットであって、前記光学フィルタのセットは、
第１のスペクトル帯域外の光を減衰させるように動作可能である第１の光学フィルタと、
第２のスペクトル帯域外の光を減衰させるように動作可能である第２の光学フィルタと、
第３のスペクトル帯域外の光を減衰させるように動作可能である第３の光学フィルタと
を含む、光学フィルタのセットと
を備える、アーチファクト軽減システム。
【請求項１６】
前記第１のスペクトル帯域は、赤色波長を含み、前記第２のスペクトル帯域は、緑色波長を含み、前記第３のスペクトル帯域は、青色波長を含む、請求項１５に記載のアーチファクト軽減システム。
【請求項１７】
前記内部結合界面は、光学軸の周囲にアレイ状にされた複数の内部結合回折要素を含む、請求項１５に記載のアーチファクト軽減システム。
【請求項１８】
前記プロジェクタアセンブリはさらに、
偏光ビームスプリッタ（ＰＢＳ）と、
前記ＰＢＳに隣接して配置される空間的に変位された光源のセットと、
前記ＰＢＳに隣接して配置されるディスプレイパネルと
を備え、
前記結像光学のセットは、前記ＰＢＳに隣接して配置される、請求項１５に記載のアーチファクト軽減システム。
【請求項１９】
前記プロジェクタアセンブリはさらに、
偏光ビームスプリッタ（ＰＢＳ）と、
前記ＰＢＳの第１の側に隣接して配置される空間的に変位された光源のセットと、
前記ＰＢＳの第２の側に隣接して配置されるコリメータと、
前記ＰＢＳの第３の側に隣接して配置されるディスプレイパネルと
を備え、
前記結像光学のセットは、前記ＰＢＳの第４の側に隣接して配置され、前記第４の側は、前記第１の側と前記第２の側との間に、かつ前記第３の側と反対に位置付けられる、請求項１５に記載のアーチファクト軽減システム。
【請求項２０】
前記ディスプレイパネルは、反射ディスプレイまたはＬＣＯＳディスプレイのうちの少なくとも１つを備える、請求項１９に記載のアーチファクト軽減システム。
【請求項２１】
前記結像光学のセットは、画像を前記内部結合界面に形成するように構成される、請求項１５に記載のアーチファクト軽減システム。
【請求項２２】
前記内部結合界面はさらに、偏光フィルム、ワイヤグリッド偏光器、または誘電性積層コーティングのうちの少なくとも１つを備える、請求項１５に記載のアーチファクト軽減システム。
【手続補正２】
【補正対象書類名】明細書
【補正対象項目名】００１０
【補正方法】変更
【補正の内容】
【００１０】
いくつかの実施形態では、ＬＣＯＳベースのウェアラブルディスプレイシステムは、高充填率および明度画像によって特徴付けられ、それによって、ユーザ体験を改良するように提供される。さらに、いくつかの実施形態は、より大きい瞳サイズを提供し、これは、より良好な画像分解能および品質を提供することができる。さらに、本開示の実施形態はまた、投影システムの要素として白色ＬＥＤまたはＲＧＢＬＥＤを使用し、かつ残影軽減を提供する、柔軟性を提供することができる。本開示のこれらおよび他の実施形態は、その利点および特徴の多くとともに、下記のテキストおよび添付の図と併せてより詳細に説明される。
本発明は、例えば、以下を提供する。
（項目１）
光学フィルタを含む接眼レンズユニットであって、前記接眼レンズユニットは、
第１の導波管層と、第２の導波管層とを含む導波管層のセットであって、
前記第１の導波管層は、第１の側方平面内に配置され、第１の側方位置に配置される第１の内部結合回折要素と、前記第１の内部結合回折要素に光学的に結合される第１の導波管と、前記第１の導波管に光学的に結合される第１の外部結合回折要素とを含み、
前記第２の導波管層は、前記第１の側方平面に隣接する第２の側方平面内に配置され、第２の側方位置に配置される第２の内部結合回折要素と、前記第２の内部結合回折要素に光学的に結合される第２の導波管と、前記第２の導波管に光学的に結合される第２の外部結合回折要素とを含む、
導波管層のセットと、
第１の光学フィルタと、第２の光学フィルタとを含む光学フィルタのセットであって、
前記第１の光学フィルタは、前記第１の側方位置に位置付けられ、第１のスペクトル帯域外の光を減衰させるように動作可能であり、
前記第２の光学フィルタは、前記第２の側方位置に位置付けられ、第２のスペクトル帯域外の光を減衰させるように動作可能である、
光学フィルタのセットと
を備える、接眼レンズユニット。
（項目２）
前記導波管層のセットは、第３の導波管層を含み、前記光学フィルタのセットは、第３の光学フィルタを含み、
前記第３の導波管層は、第３の側方平面内に配置され、第３の側方位置に配置される第３の内部結合回折要素と、前記第３の内部結合回折要素に光学的に結合される第３の導波管と、前記第３の導波管に光学的に結合される第３の外部結合回折要素とを含み、
前記第３の光学フィルタは、前記第３の側方位置に位置付けられ、第３のスペクトル帯域外の光を減衰させるように動作可能である、
項目１に記載の接眼レンズユニット。
（項目３）
前記第１のスペクトル帯域は、赤色波長を含み、前記第２のスペクトル帯域は、緑色波長を含み、前記第３のスペクトル帯域は、青色波長を含む、項目２に記載の接眼レンズユニット。
（項目４）
前記第１の光学フィルタは、緑色波長または青色波長のうちの少なくとも１つを透過させる、項目１に記載の接眼レンズユニット。
（項目５）
前記第２の光学フィルタは、赤色波長または青色波長のうちの少なくとも１つを透過させる、項目１に記載の接眼レンズユニット。
（項目６）
前記光学フィルタのセットは、前記第１の側方平面に隣接する第３の側方平面内に配置されるカバープレートの表面に配置される。項目１に記載の接眼レンズユニット。
（項目７）
前記カバープレートは、低透過率媒体を前記光学フィルタのセット間に備える、項目６に記載の接眼レンズユニット。
（項目８）
前記第１の光学フィルタは、カバープレートと前記第１の導波管層との間に配置され、前記カバープレートは、前記第１の側方平面に隣接する第３の側方平面内に配置される、項目１に記載の接眼レンズユニット。
（項目９）
前記第２の光学フィルタは、前記第１の導波管層と前記第２の導波管層との間に配置される、項目１に記載の接眼レンズユニット。
（項目１０）
前記第１の側方位置および前記第２の側方位置は、同一側方位置である、項目１に記載の接眼レンズユニット。
（項目１１）
前記接眼レンズユニットは、投影レンズに隣接して配置され、前記光学フィルタのセットは、前記投影レンズと前記導波管層のセットとの間に配置される、項目１に記載の接眼レンズユニット。
（項目１２）
前記第１の側方位置は、前記第２の側方位置に対して側方に変位される、項目１に記載の接眼レンズユニット。
（項目１３）
前記第１の内部結合回折要素は、前記第１のスペクトル帯域内の光を内部結合するように構成される、項目１に記載の接眼レンズユニット。
（項目１４）
前記第２の内部結合回折要素は、前記第２のスペクトル帯域内の光を内部結合するように構成される、項目１に記載の接眼レンズユニット。
（項目１５）
アーチファクト軽減システムであって、
プロジェクタアセンブリと、
前記プロジェクタアセンブリに光学的に結合される結像光学のセットと、
前記結像光学のセットに光学的に結合される接眼レンズであって、前記接眼レンズは、内部結合界面を含む、接眼レンズと、
光学フィルタのセットであって、前記光学フィルタのセットは、
第１のスペクトル帯域外の光を減衰させるように動作可能である第１の光学フィルタと、
第２のスペクトル帯域外の光を減衰させるように動作可能である第２の光学フィルタと、
第３のスペクトル帯域外の光を減衰させるように動作可能である第３の光学フィルタと
を含む、光学フィルタのセットと
を備える、アーチファクト軽減システム。
（項目１６）
前記第１のスペクトル帯域は、赤色波長を含み、前記第２のスペクトル帯域は、緑色波長を含み、前記第３のスペクトル帯域は、青色波長を含む、項目１５に記載のアーチファクト軽減システム。
（項目１７）
前記内部結合界面は、光学軸の周囲にアレイ状にされた複数の内部結合回折要素を含む、項目１５に記載のアーチファクト軽減システム。
（項目１８）
前記プロジェクタアセンブリはさらに、
偏光ビームスプリッタ（ＰＢＳ）と、
前記ＰＢＳに隣接して配置される空間的に変位された光源のセットと、
前記ＰＢＳに隣接して配置されるディスプレイパネルと
を備え、
前記結像光学のセットは、前記ＰＢＳに隣接して配置される、項目１５に記載のアーチファクト軽減システム。
（項目１９）
前記プロジェクタアセンブリはさらに、
偏光ビームスプリッタ（ＰＢＳ）と、
前記ＰＢＳの第１の側に隣接して配置される空間的に変位された光源のセットと、
前記ＰＢＳの第２の側に隣接して配置されるコリメータと、
前記ＰＢＳの第３の側に隣接して配置されるディスプレイパネルと
を備え、
前記結像光学のセットは、前記ＰＢＳの第４の側に隣接して配置され、前記第４の側は、前記第１の側と前記第２の側との間に、かつ前記第３の側と反対に位置付けられる、項目１５に記載のアーチファクト軽減システム。
（項目２０）
前記ディスプレイパネルは、反射ディスプレイまたはＬＣＯＳディスプレイのうちの少なくとも１つを備える、項目１９に記載のアーチファクト軽減システム。
（項目２１）
前記結像光学のセットは、画像を前記内部結合界面に形成するように構成される、項目１５に記載のアーチファクト軽減システム。
（項目２２）
前記内部結合界面はさらに、偏光フィルム、ワイヤグリッド偏光器、または誘電性積層コーティングのうちの少なくとも１つを備える、項目１５に記載のアーチファクト軽減システム。
（項目２３）
画像を視認者の眼に投影させるための接眼レンズであって、前記接眼レンズは、
第１の側方平面内に位置付けられる第１の平面導波管であって、前記第１の平面導波管は、第１の側方位置に配置される第１の回折光学要素（ＤＯＥ）を備える、第１の平面導波管と、
前記第１の側方平面に隣接する第２の側方平面内に位置付けられる第２の平面導波管であって、前記第２の平面導波管は、前記第１の側方位置と異なる第２の側方位置に配置される第２のＤＯＥを備える、第２の平面導波管と、
前記第２の側方平面に隣接する第３の側方平面内に位置付けられる第３の平面導波管であって、前記第３の平面導波管は、前記第１の側方位置および前記第２の側方位置と異なる第３の側方位置に配置される第３のＤＯＥを備える、第３の平面導波管と、
前記第２の平面導波管と前記第３の平面導波管との間に位置付けられる光学フィルタであって、前記光学フィルタは、前記第３の側方位置に配置される、光学フィルタと
を備える、接眼レンズ。
（項目２４）
前記光学フィルタは、第１の波長範囲を透過させ、前記第１の波長範囲未満の第２の波長範囲を反射させるように動作可能であるロングパスフィルタを備える、項目２３に記載の接眼レンズ。
（項目２５）
前記第１の波長範囲は、６００ｎｍ〜７００ｎｍを含み、前記第２の波長範囲は、４００ｎｍ〜５００ｎｍを含む、項目２４に記載の接眼レンズ。
（項目２６）
前記第１の波長範囲における透過率は、約９０％以上である、項目２４に記載の接眼レンズ。
（項目２７）
前記第２の波長範囲における反射率は、約１０％以下である、項目２４に記載の接眼レンズ。
（項目２８）
前記光学フィルタは、第１の波長範囲を透過させ、第２の波長範囲を吸収するように動作可能であるロングパスフィルタを備える、項目２３に記載の接眼レンズ。
（項目２９）
前記第１の平面導波管は、第１の表面と、前記第１の表面と反対の第２の表面とを有し、前記第１の平面導波管は、前記第１の側方位置を含む第１の領域と、第２の領域とを有し、前記第１の領域は、その第１の表面上に入射する画像光を受け取るように構成され、前記画像光は、第１の波長範囲内の画像光を含み、
前記第１のＤＯＥは、前記第１の領域内に配置され、前記第１の波長範囲内の画像光を、前記第１の平面導波管の第２の領域に向かって誘導されるように、前記第１の平面導波管の中に回折するように構成され、前記画像光の一部は、前記第１の平面導波管を通して透過される、
項目２３に記載の接眼レンズ。
（項目３０）
前記第２の平面導波管は、第１の表面と、前記第１の表面と反対の第２の表面とを有し、前記第２の平面導波管は、前記第２の側方位置を含む第１の領域と、第２の領域とを有し、前記第１の領域は、第２の波長範囲内の画像光を受け取るように構成され、
前記第２のＤＯＥは、前記第１の領域内に配置され、前記第２の波長範囲内の画像光を、前記第２の平面導波管の第２の領域に向かって誘導されるように、前記第２の平面導波管の中に回折するように構成される、
項目２３に記載の接眼レンズ。
（項目３１）
前記第３の平面導波管は、第１の表面と、前記第１の表面と反対の第２の表面とを有し、前記第３の平面導波管は、前記第３の側方位置を含む第１の領域と、第２の領域とを有し、前記第１の領域は、第３の波長範囲内の画像光を受け取るように構成され、
前記第３のＤＯＥは、前記第１の領域内に配置され、前記第３の波長範囲内の画像光を、前記第３の平面導波管の第２の領域に向かって誘導されるように、前記第３の平面導波管の中に回折するように構成される、
項目２３に記載の接眼レンズ。
（項目３２）
前記光学フィルタは、前記第３の平面導波管の第１の表面上に配置される、項目３１に記載の接眼レンズ。
（項目３３）
前記第３のＤＯＥは、前記第３の平面導波管の第２の表面上に配置される、項目３１に記載の接眼レンズ。
（項目３４）
前記光学フィルタは、前記第１の平面導波管の第１の表面または第２の表面上に配置されるか、または、前記第２の平面導波管の第１の表面または第２の表面上に配置される、項目２３に記載の接眼レンズ。
（項目３５）
画像を視認者の眼に投影させるための接眼レンズであって、前記接眼レンズは、
基板側方平面内に位置付けられる基板と、
前記基板上に配置されるカラーフィルタのセットであって、前記カラーフィルタのセットは、
第１の側方位置に配置され、第１の波長範囲を通過させるように動作可能である第１のカラーフィルタと、
第２の側方位置に配置され、第２の波長範囲を通過させるように動作可能である第２のカラーフィルタと、
第３の側方位置に配置され、第３の波長範囲を通過させるように動作可能である第３のカラーフィルタと
を備える、カラーフィルタのセットと、
前記基板側方平面に隣接する第１の側方平面内に位置付けられる第１の平面導波管であって、前記第１の平面導波管は、前記第１の側方位置に配置される第１の回折光学要素（ＤＯＥ）を備える、第１の平面導波管と、
前記第１の側方平面に隣接する第２の側方平面内に位置付けられる第２の平面導波管であって、前記第２の平面導波管は、前記第２の側方位置に配置される第２のＤＯＥを備える、第２の平面導波管と、
前記第２の側方平面に隣接する第３の側方平面内に位置付けられる第３の平面導波管であって、前記第３の平面導波管は、前記第３の側方位置に配置される第３のＤＯＥを備える、第３の平面導波管と
を備える、接眼レンズ。
（項目３６）
前記第１のカラーフィルタは、前記第１の波長範囲を透過させ、前記第２の波長範囲および前記第３の波長範囲を減衰させるように動作可能である第１のフォトレジストを備える、項目３５に記載の接眼レンズ。
（項目３７）
前記第２のカラーフィルタは、前記第２の波長範囲を透過させ、前記第１の波長範囲および前記第３の波長範囲を減衰させるように動作可能である第２のフォトレジストを備える、項目３５に記載の接眼レンズ。
（項目３８）
前記第３のカラーフィルタは、前記第３の波長範囲を透過させ、前記第１の波長範囲および前記第２の波長範囲を減衰させるように動作可能である第３のフォトレジストを備える、項目３５に記載の接眼レンズ。
（項目３９）
前記第１のカラーフィルタ、前記第２のカラーフィルタ、または前記第３のカラーフィルタのうちの少なくとも１つは、紫外線インクを備える、項目３５に記載の接眼レンズ。
（項目４０）
平面図において、前記第１のカラーフィルタは、光学軸を中心として前記第３のカラーフィルタと反対に位置付けられる、項目３５に記載の接眼レンズ。
（項目４１）
前記基板は、第１の側と、第２の側とを有し、
前記カラーフィルタのセットは、前記基板の第１の側上に配置され、
前記基板の第２の側は、前記第１の平面導波管に面する、
項目３５に記載の接眼レンズ。
（項目４２）
前記基板は、第１の側と、第２の側とを有し、
前記カラーフィルタのセットは、前記基板の第２の側上に配置され、
前記基板の第２の側は、前記第１の平面導波管に面する、
項目３５に記載の接眼レンズ。
（項目４３）
第４の側方位置において前記基板上に配置され、前記第２の波長範囲を通過させるように動作可能である第４のカラーフィルタと、
第５の側方位置に配置され、前記第３の波長範囲を通過させるように動作可能である第５のカラーフィルタと
をさらに備える、項目３５に記載の接眼レンズ。
（項目４４）
平面図において、前記第２のカラーフィルタは、光学軸を中心として前記第４のカラーフィルタと反対に位置付けられる、項目４３に記載の接眼レンズ。
（項目４５）
前記第３の側方平面に隣接する第４の側方平面内に位置付けられる第４の平面導波管であって、前記第４の平面導波管は、前記第４の側方位置に配置される第４の回折光学要素（ＤＯＥ）を備える、第４の平面導波管と、
前記第４の側方平面に隣接する第５の側方平面内に位置付けられる第５の平面導波管であって、前記第５の平面導波管は、前記第５の側方位置に配置される第５のＤＯＥを備える、第５の平面導波管と、
前記第５の側方平面に隣接する第６の側方平面内に位置付けられる第６の平面導波管であって、前記第６の平面導波管は、前記第６の側方位置に配置される第６のＤＯＥを備える、第６の平面導波管と
をさらに備える、項目４３に記載の接眼レンズ。
（項目４６）
第６の側方位置に配置され、前記第１の波長範囲を通過させるように動作可能である第６のカラーフィルタをさらに備える、項目４３に記載の接眼レンズ。
（項目４７）
平面図において、前記第５のカラーフィルタは、光学軸を中心として前記第６のカラーフィルタと反対に位置付けられる、項目４６に記載の接眼レンズ。
（項目４８）
前記第１の波長範囲は、４００ｎｍ〜５００ｎｍ（青色）を含み、前記第２の波長範囲は、６００ｎｍ〜７００ｎｍ（赤色）を含み、前記第３の波長範囲は、５００ｎｍ〜６００ｎｍ（緑色）を含む、項目３５に記載の接眼レンズ。
（項目４９）
画像を視認者の眼に投影させるための接眼レンズであって、前記接眼レンズは、
第１の側方平面内に位置付けられる第１の平面導波管であって、前記第１の平面導波管は、第１の側方位置に配置される第１の回折光学要素（ＤＯＥ）を備える、第１の平面導波管と、
前記第１の側方位置と異なる第２の側方位置において前記第１の平面導波管に結合される第１の光学フィルタと、
前記第１の側方平面に隣接する第２の側方平面内に位置付けられる第２の平面導波管であって、前記第２の平面導波管は、前記第１の側方位置に配置される第２のＤＯＥを備える、第２の平面導波管と、
前記第２の側方平面に隣接する第３の側方平面内に位置付けられる第３の平面導波管であって、前記第３の平面導波管は、前記第１の側方位置に配置される第３のＤＯＥを備える、第３の平面導波管と、
前記第２の平面導波管と前記第３の平面導波管との間に位置付けられる第２の光学フィルタであって、前記第２の光学フィルタは、前記第１の側方位置に配置される、第２の光学フィルタと
を備える、接眼レンズ。
（項目５０）
前記第１のＤＯＥは、第１の波長範囲を伴う光を回折するように構成され、前記第１の光学フィルタは、前記第１の波長範囲外の波長を吸収するように動作可能である吸収フィルタを備える、項目４９に記載の接眼レンズ。
（項目５１）
前記第１の光学フィルタは、第１の波長範囲内の光を透過させ、前記第１の波長範囲外の光の少なくとも一部を吸収するように構成されるフィルタを備える、項目４９に記載の接眼レンズ。
（項目５２）
前記第１の光学フィルタはさらに、第３の波長範囲内の光の少なくとも一部を吸収するように構成される、項目５１に記載の接眼レンズ。
（項目５３）
前記第２の光学フィルタは、ダイクロイック反射体を備える、項目４９に記載の接眼レンズ。
（項目５４）
前記第２のＤＯＥは、第２の波長範囲を伴う光を回折するように構成され、
前記第２の光学フィルタは、前記第２の平面導波管の中への回折のために、前記第２の波長範囲を伴う光を前記第２のＤＯＥに向かって反射させるように構成される、
項目４９に記載の接眼レンズ。
（項目５５）
前記第１のＤＯＥは、前記第１の側方位置に配置される第１の領域内に配置され、前記第１の光学フィルタは、前記第１の平面導波管の第２の領域内に配置される、項目４９に記載の接眼レンズ。
（項目５６）
前記第１の光学フィルタは、前記第１の平面導波管の内側の空洞内に配置される、項目５５に記載の接眼レンズ。
（項目５７）
前記第１の光学フィルタは、前記第１の平面導波管の第１の表面上に配置される、項目５５に記載の接眼レンズ。
（項目５８）
前記第１のＤＯＥは、４００ｎｍ〜５００ｎｍ（緑色）を含む第１の波長範囲内の光を回折するように構成され、前記第２のＤＯＥは、４００ｎｍ〜５００ｎｍ（青色）を含む第２の波長範囲内の光を回折するように構成され、前記第３のＤＯＥは、６００ｎｍ〜７００ｎｍ（赤色）を含む第３の波長範囲内の光を回折するように構成される、項目４９に記載の接眼レンズ。
（項目５９）
画像を視認者の眼に投影させるための接眼レンズであって、前記接眼レンズは、
基板側方平面内に位置付けられる基板であって、前記基板は、
第１の側方位置に配置され、第１の波長範囲を通過させるように動作可能である第１のカラーフィルタと、
第２の側方位置に配置され、第２の波長範囲を通過させるように動作可能である第２のカラーフィルタと
を備える、基板と、
前記基板側方平面に隣接する第１の側方平面内に位置付けられる第１の平面導波管であって、前記第１の平面導波管は、
前記第１の側方位置に配置される第１の回折光学要素（ＤＯＥ）と、
第３の側方位置に配置され、第３の波長範囲を通過させるように動作可能である第３のカラーフィルタと
を備える、第１の平面導波管と、
前記第１の側方平面に隣接する第２の側方平面内に位置付けられる第２の平面導波管であって、前記第２の平面導波管は、前記第３の側方位置に配置される第２のＤＯＥを備える、第２の平面導波管と、
前記第２の側方平面に隣接する第３の側方平面内に位置付けられる第３の平面導波管であって、前記第３の平面導波管は、前記第２の側方位置に配置される第３のＤＯＥを備える、第３の平面導波管と
を備える、接眼レンズ。
（項目６０）
前記基板は、前記第１のカラーフィルタが配置される第１の陥凹と、前記第２のカラーフィルタが配置される第２の陥凹とを含む、項目５９に記載の接眼レンズ。
（項目６１）
前記第１の平面導波管は、前記第３のカラーフィルタが配置される陥凹を含む、項目５９に記載の接眼レンズ。
（項目６２）
前記第１のカラーフィルタは、前記第１の波長範囲を透過させ、前記第２の波長範囲および前記第３の波長範囲を減衰させるように動作可能である、項目５９に記載の接眼レンズ。
（項目６３）
前記第２のカラーフィルタは、前記第２の波長範囲を透過させ、前記第１の波長範囲および前記第３の波長範囲を減衰させるように動作可能である、項目５９に記載の接眼レンズ。
（項目６４）
前記第３のカラーフィルタは、前記第３の波長範囲を透過させ、前記第１の波長範囲および前記第２の波長範囲を減衰させるように動作可能である、項目５９に記載の接眼レンズ。
（項目６５）
前記第１のカラーフィルタ、前記第２のカラーフィルタ、または前記第３のカラーフィルタのうちの少なくとも１つは、吸収性カラーフィルタを備える、項目５９に記載の接眼レンズ。
（項目６６）
平面図において、前記第２のカラーフィルタは、光学軸を中心として前記第３のカラーフィルタと反対に位置付けられる、項目５９に記載の接眼レンズ。
（項目６７）
前記基板はさらに、
第４の側方位置に配置され、前記第１の波長範囲を通過させるように動作可能である第４のカラーフィルタと、
第５の側方位置に配置され、前記第２の波長範囲を通過させるように動作可能である第５のカラーフィルタと
を備える、項目５９に記載の接眼レンズ。
（項目６８）
平面図において、前記第４のカラーフィルタは、前記第５のカラーフィルタと反対に位置付けられる、項目６７に記載の接眼レンズ。
（項目６９）
前記第３の側方平面に隣接する第４の側方平面内に位置付けられる第４の平面導波管であって、前記第４の平面導波管は、前記第４の側方位置に配置される第４の回折光学要素（ＤＯＥ）を備える、第４の平面導波管と、
前記第４の側方平面に隣接する第５の側方平面内に位置付けられる第５の平面導波管であって、前記第５の平面導波管は、前記第５の側方位置に配置される第５のＤＯＥを備える、第５の平面導波管と、
前記第５の側方平面に隣接する第６の側方平面内に位置付けられる第６の平面導波管であって、前記第６の平面導波管は、前記第６の側方位置に配置される第６のＤＯＥを備える、第６の平面導波管と
をさらに備える、項目６７に記載の接眼レンズ。
（項目７０）
第６の側方位置に配置され、前記第３の波長範囲を通過させるように動作可能である第６のカラーフィルタをさらに備える、項目６７に記載の接眼レンズ。
（項目７１）
平面図において、前記第６のカラーフィルタは、光学軸を中心として前記第１のカラーフィルタと反対に位置付けられる、項目７０に記載の接眼レンズ。
（項目７２）
前記第１の波長範囲は、６００ｎｍ〜７００ｎｍを含み、前記第２の波長範囲は、５００ｎｍ〜６００ｎｍを含み、前記第３の波長範囲は、４００ｎｍ〜５００ｎｍを含む、項目６９に記載の接眼レンズ。
（項目７３）
画像を視認者の眼に投影させるための接眼レンズであって、前記接眼レンズは、
第１の側方平面内に位置付けられる第１の平面導波管であって、前記第１の平面導波管は、第１の側方位置に配置される第１の回折光学要素（ＤＯＥ）を備え、第１の表面積を包囲する第１の境界を画定する、第１の平面導波管と、
前記第１の側方平面に隣接する第２の側方平面内に位置付けられる第２の平面導波管であって、前記第２の平面導波管は、前記第１の境界外の第２の側方位置に配置される第２のＤＯＥを備え、前記第２の平面導波管は、第２の表面積を包囲する第２の境界を画定する、第２の平面導波管と、
前記第２の側方平面に隣接する第３の側方平面内に位置付けられる第３の平面導波管であって、前記第３の平面導波管は、前記第１の境界外および前記第２の境界外の第３の側方位置に配置される第３のＤＯＥを備える、第３の平面導波管と
を備える、接眼レンズ。
（項目７４）
前記第１のＤＯＥは、前記第１の境界の周辺領域に配置される、項目７３に記載の接眼レンズ。
（項目７５）
前記第１の境界は、１つ以上の周辺カットアウトを備える、項目７３に記載の接眼レンズ。
（項目７６）
前記第１の境界は、１つ以上の中心オリフィスを備える、項目７３に記載の接眼レンズ。
（項目７７）
光を複数の平面導波管を含む接眼レンズの中に結合する方法であって、前記方法は、
第１の波長を含む第１のビームを指向し、前記接眼レンズ上に衝突させることと、
前記第１のビームの少なくとも一部を前記複数の平面導波管の第１の平面導波管の中に結合することと、
第２の波長を含む第２のビームを指向し、前記接眼レンズ上に衝突させることと、
前記第２のビームの少なくとも一部を前記複数の平面導波管の第２の平面導波管の中に結合することと、
第３の波長を含む第３のビームを指向し、前記接眼レンズ上に衝突させることと、
前記第３のビームの透過された部分を光学フィルタを通して通過させることと、
前記第３のビームの透過された部分の少なくとも一部を前記複数の平面導波管の第３の平面導波管の中に結合することと
を含む、方法。
（項目７８）
光を前記複数の平面導波管のそれぞれと関連付けられた回折光学要素を有する複数の平面導波管を含む接眼レンズの中に結合する方法であって、前記方法は、
第１の波長を含む第１のビーム、第２の波長を含む第２のビーム、および第３の波長を含む第３のビームを指向し、第１の側方位置において前記接眼レンズ上に衝突させることと、
前記第１のビームの少なくとも一部、前記第２のビームの少なくとも一部、および前記第３のビームの少なくとも一部を前記複数の平面導波管の第１の平面導波管の中に結合することと、
前記第２のビームの少なくとも一部および前記第３のビームの少なくとも一部を減衰させることと、
前記第２のビームの少なくとも第２の部分を前記複数の平面導波管の第２の平面導波管の中に結合することと、
前記第３のビームの透過された部分を光学フィルタを通して通過させることと、
前記第３のビームの透過された部分の少なくとも一部を前記複数の平面導波管の第３の平面導波管の中に結合することと
を含む、方法。
（項目７９）
前記複数の平面導波管のそれぞれと関連付けられた前記回折光学要素はそれぞれ、前記第１の側方位置において整合される、項目７８に記載の方法。
（項目８０）
前記第３のビームの反射された部分を前記光学フィルタから反射させることをさらに含む、項目７８に記載の方法。
（項目８１）
前記第３のビームの反射された部分の少なくとも一部を前記第２の平面導波管の中に結合することをさらに含む、項目８０に記載の方法。
（項目８２）
画像表示システムであって、
照明白色光を提供するための単一白色光源と、
前記照明白色光を受け取り、光学瞳においてグレースケール画像を順次投影するように構成されるＬＣＯＳ（シリコン上液晶）画像投影デバイスであって、各グレースケール画像は、３つの色毎にピクセルを選択するために構成される、ＬＣＯＳ画像投影デバイスと、
前記光学瞳を前記３つの色のための３つの下位瞳に分割するために構成される３つのシャッタ領域を有するシャッタと、
前記３つのシャッタ領域に整合される３つのフィルタ領域を有するフィルタであって、各フィルタ領域は、前記色のうちの１つのためのカラーフィルタを有し、前記シャッタおよび前記フィルタは、前記ＬＣＯＳ画像投影デバイスと同期され、対応する下位瞳において画像を前記３つの色のそれぞれにおいて順次投影する、フィルタと、
３つの導波管層を有する接眼レンズであって、各導波管層は、回折光学要素（ＤＯＥ）を含み、前記ＤＯＥは、対応する下位瞳に整合され、前記色のうちの１つにおける画像光を受け取るために構成され、前記接眼レンズは、カラー画像を視認者に投影させるために構成される、接眼レンズと
を備える、画像表示システム。
（項目８３）
前記単一白色光源は、白色発光ダイオード（ＬＥＤ）光源を備える、項目８２に記載の画像表示システム。
（項目８４）
前記単一白色光源は、正方形または長方形の照明光ビームを投影するように構成される、項目８２に記載の画像表示システム。
（項目８５）
前記シャッタは、液晶（ＬＣ）シャッタを備える、項目８２に記載の画像表示システム。
（項目８６）
前記３つのシャッタ領域は、相互に隣接する長方形領域である、項目８２に記載の画像表示システム。
（項目８７）
前記３つのフィルタ領域は、相互に隣接する長方形領域である、項目８２に記載の画像表示システム。
（項目８８）
前記３つの下位瞳は、相互に隣接する長方形領域である、項目８２に記載の画像表示システム。
（項目８９）
各導波管層内の前記ＤＯＥは、前記色のうちの１つにおける画像光を受け取り、前記画像光を前記導波管層の中に回折し、全内部反射（ＴＩＲ）によって、前記導波管層内を伝搬方向に伝搬させるように構成される、項目８２に記載の画像表示システム。
（項目９０）
各導波管層内の前記ＤＯＥは、前記色のうちの１つにおける前記画像光を受け取るための対応する下位瞳に整合される、項目８９に記載の画像表示システム。
（項目９１）
前記導波管層内のＤＯＥは、相互から空間的に変位される、項目８９に記載の画像表示システム。
（項目９２）
各導波管層内の前記ＤＯＥは、長方形形状を有し、前記伝搬方向と垂直方向に伸長される、項目８９に記載の画像表示システム。
（項目９３）
画像表示システムであって、
色順次照明を提供するための光源であって、前記光源は、複数のカラーＬＥＤ光源を有する、光源と、
前記照明を前記複数のカラーＬＥＤ光源から受け取り、３つの色毎に光学瞳においてカラー画像光を順次投影するように構成されるＬＣＯＳ（シリコン上液晶）画像投影デバイスであって、前記光学瞳は、瞳面積によって特徴付けられ、複数の非重複下位瞳を含み、前記複数の非重複下位瞳の非重複瞳はそれぞれ、下位瞳面積によって特徴付けられる、ＬＣＯＳ画像投影デバイスと
を備え、
前記複数のＬＥＤ光源はそれぞれ、前記複数の非重複下位瞳のうちの１つを照明するように構成され、
前記下位瞳面積の和は、前記瞳面積と実質的に等しい、
画像表示システム。
（項目９４）
前記下位瞳面積の和は、前記瞳面積と等しい、項目９３に記載の画像表示システム。
（項目９５）
前記光学瞳は、円形形状を有し、
前記複数のＬＥＤ光源はそれぞれ、前記光学瞳の扇形である下位瞳を照明するように構成される、
項目９３に記載の画像表示システム。
（項目９６）
前記光学瞳は、正方形または長方形の形状を有し、
前記複数のＬＥＤ光源はそれぞれ、前記光学瞳の長方形部分である下位瞳を照明するように構成される、
項目９３に記載の画像表示システム。
（項目９７）
前記光学瞳は、正方形または長方形の形状を有し、
前記複数のＬＥＤ光源は、赤色ＬＥＤと、青色ＬＥＤと、緑色ＬＥＤとを備え、
前記複数のＬＥＤ光源の各ＬＥＤは、前記光学瞳の長方形部分である下位瞳を照明するように構成される、
項目９３に記載の画像表示システム。
（項目９８）
前記光学瞳は、円形形状を有し、
前記複数のＬＥＤ光源は、２つの赤色ＬＥＤと、２つの青色ＬＥＤと、２つの緑色ＬＥＤとを備え、
前記複数のＬＥＤ光源の各ＬＥＤは、前記光学瞳の扇形である下位瞳を照明するように構成される、
項目９３に記載の画像表示システム。
（項目９９）
前記光学瞳は、正方形または長方形の形状を有し、
前記複数のＬＥＤ光源は、２つの赤色ＬＥＤと、２つの青色ＬＥＤと、２つの緑色ＬＥＤとを備え、
前記複数のＬＥＤ光源の各ＬＥＤは、前記光学瞳の長方形部分である下位瞳を照明するように構成される、
項目９３に記載の画像表示システム。
（項目１００）
前記３つの色は、３つの原色であり、
前記複数のＬＥＤ光源は、前記３つの原色のそれぞれにおける１つ以上のＬＥＤ光源を備える、
項目９３に記載の画像表示システム。
（項目１０１）
前記複数のＬＥＤ光源はそれぞれ、ＬＥＤチップと、集光器とを備える、項目９３に記載の画像表示システム。
（項目１０２）
各集光器は、複合放物集光器（ＣＰＣ）である、項目１０１に記載の画像表示システム。
（項目１０３）
画像表示システムであって、
色順次照明を提供するための光源であって、前記光源は、複数のＬＥＤ光源を有する、光源と、
前記照明を前記複数のカラーＬＥＤ光源から受け取り、３つの色毎に光学瞳においてカラー画像光を順次投影するように構成されるＬＣＯＳ（シリコン上液晶）画像投影デバイスであって、前記光学瞳は、前記複数のＬＥＤ光源に対応する複数の非重複下位瞳を含む、ＬＣＯＳ画像投影デバイスと、
複数の導波管層を有する接眼レンズであって、各導波管層は、前記画像光を対応するＬＥＤ光源から受け取るために対応する下位瞳に整合される回折光学要素（ＤＯＥ）を含む、接眼レンズと
を備え、
前記ＬＣＯＳ画像投影デバイスは、高回折次数を前記複数のＬＥＤ光源のそれぞれから生成し、
各導波管内の前記ＤＯＥは、前記高回折次数からの画像から変位される場所に配置される、
画像表示システム。
（項目１０４）
画像表示システムであって、
照明白色光を提供するための白色光源と、
前記照明白色光を受け取り、３つの色毎に光学瞳においてグレースケール画像を順次投影するように構成されるＬＣＯＳ（シリコン上液晶）画像投影デバイスと、
前記光学瞳を前記色毎に１つの対応する複数の下位瞳に分割するために構成される複数のシャッタ領域を有するシャッタと、
複数のフィルタ領域を有するフィルタであって、各フィルタ領域は、前記色のうちの１つのためのカラーフィルタを有し、複数のフィルタ領域はそれぞれ、前記複数のシャッタ領域のうちの対応する１つに整合される、フィルタと
を備え、
前記シャッタは、前記ＬＣＯＳ画像投影デバイスと同期され、前記複数の下位瞳のうちの１つにおいて前記３つの色のそれぞれにおける画像を順次投影する、画像表示システム。
（項目１０５）
前記白色光源は、単一白色光源を備える、項目１０４に記載の画像表示システム。
（項目１０６）
前記シャッタは、６つのシャッタ領域を備え、前記フィルタは、６つのフィルタ領域を有し、前記シャッタおよびフィルタは、整合され、６つの下位瞳を形成する、項目１０４に記載の画像表示システム。
（項目１０７）
６つの導波管層を有する接眼レンズをさらに備え、各導波管層は、前記色のうちの１つにおける画像光を受け取るための対応する下位瞳に整合される回折光学要素（ＤＯＥ）を含み、前記接眼レンズは、カラー画像を２つの深度平面において投影させるために構成される、項目１０６に記載の画像表示システム。
（項目１０８）
画像表示システムであって、
照明白色光を提供するための複数の白色ＬＥＤ光源と、
前記照明白色光を受け取り、３つの色毎に光学瞳においてグレースケール画像を順次投影するように構成されるＬＣＯＳ（シリコン上液晶）画像投影デバイスと、
前記光学瞳を前記色毎に１つの対応する複数の下位瞳に分割するために構成される複数のシャッタ領域を有するシャッタデバイスと、
複数のフィルタ領域を有するフィルタであって、各フィルタ領域は、前記色のうちの１つのためのカラーフィルタを有し、複数のフィルタ領域はそれぞれ、前記複数のシャッタ領域のうちの対応する１つに整合される、フィルタと
を備え、
前記シャッタは、前記ＬＣＯＳ画像投影デバイスと同期され、前記複数の下位瞳のうちの１つにおいて前記３つの色のそれぞれにおける画像を順次投影する、画像表示システム。
（項目１０９）
前記複数の白色ＬＥＤ光源は、第１の白色ＬＥＤ光源と、第２の白色ＬＥＤ光源とを備え、
前記シャッタデバイスは、３つのシャッタ領域を有し、
前記フィルタは、６つのカラーフィルタ領域、すなわち、２つの赤色カラーフィルタ領域、２つの緑色カラーフィルタ領域、および２つの青色カラーフィルタ領域を有し、
第１の赤色カラーフィルタ領域、第１の緑色カラーフィルタ領域、および第１の青色カラーフィルタ領域は、前記第１の白色ＬＥＤ光源からの光を受け取るように構成され、
第２の赤色カラーフィルタ領域、第２の緑色カラーフィルタ領域、および第２の青色カラーフィルタ領域は、前記第２の白色ＬＥＤ光源からの光を受け取るように構成される、
項目１０８に記載のシステム。
（項目１１０）
前記光学瞳は、３つのサブピクセルを備える、項目１０９に記載のシステム。
（項目１１１）
前記光学瞳は、６つのサブピクセルを備える、項目１０９に記載のシステム。
（項目１１２）
前記第１および第２の赤色カラーフィルタ領域は、２つの異なるシャッタ領域に整合され、
前記第１および第２の緑色カラーフィルタ領域は、２つの異なるシャッタ領域に整合され、
前記第１および第２の青色カラーフィルタ領域は、２つの異なるシャッタ領域に整合される、
項目１０９に記載のシステム。
（項目１１３）
前記複数の白色ＬＥＤ光源は、第１の白色ＬＥＤ光源と、第２の白色ＬＥＤ光源とを備え、
前記シャッタデバイスは、第１のシャッタと、第２のシャッタとを有し、各シャッタは、３つのシャッタ領域を含み、
前記フィルタは、６つのカラーフィルタ領域、すなわち、２つの赤色カラーフィルタ領域、２つの緑色カラーフィルタ領域、および２つの青色カラーフィルタ領域を有し、
第１の赤色カラーフィルタ領域、第１の緑色カラーフィルタ領域、および第１の青色カラーフィルタ領域は、前記第１の白色ＬＥＤ光源からの光を受け取るように構成され、
第２の赤色カラーフィルタ領域、第２の緑色カラーフィルタ領域、および第２の青色カラーフィルタ領域は、前記第２の白色ＬＥＤ光源からの光を受け取るように構成される、
項目１０８に記載のシステム。
（項目１１４）
前記光学瞳は、３つのサブピクセルを備える、項目１１３に記載のシステム。
（項目１１５）
前記光学瞳は、６つのサブピクセルを備える、項目１１３に記載のシステム。
（項目１１６）
前記第１および第２の赤色カラーフィルタ領域は、２つの異なるシャッタ領域に整合され、
前記第１および第２の緑色カラーフィルタ領域は、２つの異なるシャッタ領域に整合され、
前記第１および第２の青色カラーフィルタ領域は、２つの異なるシャッタ領域に整合される、
項目１１３に記載のシステム。
（項目１１７）
画像表示システムであって、
照明白色光を提供するための単一白色光源と、
前記照明白色光を受け取り、光学瞳においてフルカラー画像を投影するように構成されるＬＣＯＳ（シリコン上液晶）画像投影デバイスと、
前記光学瞳を３つの下位瞳に分割するために構成される３つのシャッタ領域を有するシャッタであって、前記３つの下位瞳はそれぞれ、３つの色のうちの１つと関連付けられる、シャッタと、
３つのフィルタ領域を有するフィルタであって、各フィルタ領域は、前記３つの色のうちの１つのためのカラーフィルタを有し、前記３つのフィルタ領域は、それぞれ、前記３つのシャッタ領域に整合される、フィルタと
を備え、
前記画像表示システムは、個別の下位瞳において前記３つの色のそれぞれで画像を順次投影するように構成される、画像表示システム。
（項目１１８）
３つの導波管層を有する接眼レンズをさらに備え、各導波管層は、前記色のうちの１つにおける画像光を受け取るための対応する下位瞳に整合される回折光学要素（ＤＯＥ）を含み、前記接眼レンズは、カラー画像を視認者に投影させるために構成される、項目１１７に記載の画像表示システム。
（項目１１９）
前記単一白色光源は、正方形または長方形の照明光ビームを投影するように構成される、項目１１７に記載の画像表示システム。
（項目１２０）
前記３つのシャッタ領域は、相互に隣接する長方形領域である、項目１１７に記載の画像表示システム。
（項目１２１）
前記ＬＣＯＳ画像投影デバイスは、３つのＬＣＯＳパネルを備え、前記３つの色における画像を処理し、組み合わせられたフルカラー画像を提供する、項目１１７に記載の画像表示システム。
（項目１２２）
画像表示システムであって、
照明白色光を提供するための白色光源と、
前記照明白色光を受け取り、光学瞳において画像を投影するように構成されるＬＣＯＳ（シリコン上液晶）ベースの画像投影デバイスと、
前記光学瞳を複数の色毎に１つの複数の下位瞳に分割するために構成される複数のシャッタ領域を有するシャッタと、
複数のフィルタ領域を有するフィルタであって、各フィルタ領域は、前記複数の色のうちの１つのためのカラーフィルタを有し、複数のフィルタ領域はそれぞれ、前記複数のシャッタ領域のうちの対応する１つに整合される、フィルタと
を備え、
前記シャッタは、前記ＬＣＯＳ画像投影デバイスと同期され、前記複数の下位瞳のうちの１つにおいて前記複数の色のそれぞれにおける画像を順次投影する、画像表示システム。
（項目１２３）
前記複数の下位瞳は、光学瞳を充填するように構成される、項目１２２に記載の画像表示システム。
（項目１２４）
複数の導波管層を有する接眼レンズをさらに備え、各導波管層は、前記複数の色のうちの１つにおける画像光を受け取るための対応する下位瞳に整合される回折光学要素（ＤＯＥ）を含み、前記接眼レンズは、カラー画像を視認者に投影させるために構成される、項目１２２に記載の画像表示システム。
（項目１２５）
前記複数の色は、３つの原色であり、前記ＬＣＯＳ画像投影デバイスは、前記照明白色光を受け取り、前記３つの原色毎に光学瞳においてグレースケール画像を順次投影するように構成される、項目１２２に記載の画像表示システム。
（項目１２６）
前記ＬＣＯＳ画像投影デバイスは、３つのＬＣＯＳパネルを備え、前記３つのＬＣＯＳパネルはそれぞれ、３つの原色のうちの１つと関連付けられる、項目１２７に記載の画像表示システム。
（項目１２７）
前記ＬＣＯＳ画像投影デバイスは、前記照明白色光を受け取り、光学瞳においてフルカラー画像を投影するように構成される、項目１２２に記載の画像表示システム。
（項目１２８）
画像を表示するための方法であって、前記方法は、
白色光源および画像プロジェクタを提供することと、
前記白色光源からの白色光を前記画像プロジェクタにおいて受け取ることと、
光学瞳においてグレースケール画像を順次投影させることであって、各グレースケール画像は、３つの色のうちの対応する１つのためのピクセルを選択するために構成される、ことと、
シャッタと、前記光学瞳を前記３つの色のための３つの下位瞳に分割するためのカラーフィルタとを提供することと、
前記シャッタおよびカラーフィルタと前記グレースケール画像とを同期させ、対応する下位瞳において前記３つの色のそれぞれにおける画像を順次投影することと、
３つの導波管層を有する接眼レンズを提供することと、
画像を視認者に投影させるために、対応する導波管層において前記３つの色のそれぞれにおける画像を順次受け取ることと
を含む、方法。
（項目１２９）
前記白色光源は、単一白色ＬＥＤ光源を備える、項目１２８に記載の方法。
（項目１３０）
ＬＣＯＳ（シリコン上液晶）画像投影デバイスを使用して、前記白色光を受け取り、前記光学瞳においてグレースケール画像を順次投影することをさらに含む、項目１２８に記載の方法。
（項目１３１）
前記シャッタは、前記光学瞳を３つの下位瞳に分割するための３つのシャッタ領域を有する、液晶（ＬＣ）シャッタを備える、項目１２８に記載の方法。
（項目１３２）
前記カラーフィルタは、３つのフィルタ領域を備え、各フィルタ領域は、前記３つの色のうちの１つのためのカラーフィルタを含む、項目１２８に記載の方法。
（項目１３３）
画像を表示するための方法であって、前記方法は、
白色光源および画像プロジェクタを提供することと、
前記白色光源からの白色光を前記画像プロジェクタにおいて受け取ることと、
光学瞳において画像を投影させることと、
シャッタと、前記光学瞳を複数の下位瞳に分割するためのカラーフィルタとを提供することと、
前記シャッタおよびカラーフィルタと前記画像プロジェクタからの画像とを同期させ、対応する下位瞳において３つの色のそれぞれにおける画像を順次投影させることと、
複数の導波管層を有する接眼レンズを提供することと、
カラー画像を視認者に投影させるために、対応する導波管層において前記３つの色のそれぞれにおける画像を順次受け取ることと
を含む、方法。
（項目１３４）
前記画像プロジェクタは、前記光学瞳においてグレースケール画像を順次投影するように構成され、各グレースケール画像は、前記３つの色毎にピクセルを選択するために構成される、項目１３３に記載の方法。
（項目１３５）
前記シャッタをカラーフィルタともに前記グレースケール画像と同期させることは、グレースケール画像毎のサブピクセルのための単一カラー画像を投影させることを含む、項目１３４に記載の方法。
（項目１３６）
前記画像プロジェクタは、前記光学瞳においてフルカラー画像を投影するように構成される、項目１３３に記載の方法。
（項目１３７）
前記シャッタおよびカラーフィルタと前記画像プロジェクタからの画像とを同期させることは、前記画像プロジェクタからのフルカラー画像毎の３つの対応するサブピクセルのための３つの単一カラー画像を投影させることを含む、項目１３６に記載の方法。